(57)【要約】【課題】一時的にマスクを収容しても、簡単に衛生的に収容して除菌、脱臭を無意識に確実に行うことができるマスクケースを提供すること。【解決手段】相互に重ね合わされ部分的に接合されることにより相互間にマスク収容部を形成する表側シート及び裏側シートを有し、前記表側シート及び前記裏側シートのうち少なくとも一方が、光触媒紙で形成されている。【選択図】図１
2022001103.tif 000002
【特許請求の範囲】
【請求項１】
相互に重ね合わされ部分的に接合されることにより相互間にマスク収容部を形成する表側シート及び裏側シートを有し、
前記表側シート及び前記裏側シートのうち少なくとも一方が、光触媒紙で形成されている、
マスクケース。
【請求項２】
前記表側シート及び前記裏側シートの両方が、光触媒紙で形成されている、
請求項１に記載のマスクケース。
【請求項３】
前記表側シート及び前記裏側シートは、折り畳まれた一枚の光触媒紙で形成されている、
請求項２に記載のマスクケース。
【請求項４】
前記表側シート及び前記裏側シートのうち少なくとも一方の外面には、前記表側シート及び前記裏側シートを区別可能に表示された表示部を有する、
請求項１から３のいずれか一項に記載のマスクケース。
【請求項５】
前記表側シート及び前記裏側シートのうち少なくとも一方の外面には、マスクの表面を前記表側シート及び前記裏側シートのうちの特定のシートに向けた状態で前記マスクを前記マスク収容部に収容することを通知可能に表示された表示部を有する、
請求項１から４のいずれか一項に記載のマスクケース。
【請求項６】
前記表示部は、前記外面の上下方向を通知可能に表示されている、
請求項４又は５に記載のマスクケース。
【請求項７】
前記マスクケースは、横長の長方形形状であり、
前記表示部は、前記マスクケースが横長の長方形形状であることを通知可能に表示されている、
請求項４から６のいずれか一項に記載のマスクケース。
【請求項８】
前記表示部は、前記外面に印刷されている、
請求項４から７のいずれか一項に記載のマスクケース。
【請求項９】
前記表示部の印刷面積が、前記表側シートの外面と前記裏側シートの外面とで異なる、
請求項８に記載のマスクケース。
【請求項１０】
光触媒紙で形成されているシートのうち少なくとも一方において、中央部を避けて外周部に、前記表示部が形成されている、
請求項４から９のいずれか一項に記載のマスクケース。
【請求項１１】
前記マスクケースは、長方形形状であり、
前記マスクケースの長方形形状の外周部のうち長辺部で、前記表側シートと前記裏側シートとが接合されており、前記外周部のうち短辺部で、前記表側シートと前記裏側シートとが相互に接合されていない、
請求項１から９のいずれか一項に記載のマスクケース。
【請求項１２】
前記表側シートと前記裏側シートとの接合部に、前記マスク収容部に収容されたマスクの耳掛け部を外部へ出すことが可能な孔部が形成されている、
請求項１から１０のいずれか一項に記載のマスクケース。
【請求項１３】
前記表側シートと前記裏側シートにおいて、外周部の一部が、前記接合部となっており、前記外周部の前記一部に対向する対向部が、前記接合部となっていない、
請求項１２に記載のマスクケース。  
【発明の詳細な説明】
【技術分野】
【０００１】
本発明は、マスクケースに関する。
【背景技術】
【０００２】
近年、粉じん、花粉症、かぜやインフルエンザ等のウィルス等の異物の吸引の防止や他人への病原菌の感染の防止のために、マスクの使用が習慣化されている。マスクは、飲食時等必要に応じて一時的に外す場合が多く、外したマスクを一時的に保管するために、そのまま折り畳んでポケットやカバンに入れたり、購入時の梱包材に収納したりすることが現状である。このようにマスクを収容すると、ポケット、カバン、梱包材に、埃や汚れ、つまり、菌等の異物が付着するのは勿論のこと、収容動作や繰り返し保管することにより、異物が呼吸面にも付着してしまい、衛生上悪い。このため、使用したマスクを一時的にかつ衛生的に収容できるように収容できるマスクケースが検討されている。
例えば、特許文献１では、抗菌性を有する樹脂製のシートを折り曲げて重ねて、折り曲げ部に隣接する１辺を溶接してマスク収容部を形成したマスクケースが開示されている。このシートは、樹脂製シートの内部に抗菌剤を混錬する、或いは、表面に抗菌剤を付着することで構成される。
また、特許文献２には、折り畳むことにより抗菌性を有する保護シートとマスクの本体部とを挟み込んだ内側シートを、折り畳んだ外側シートに収容するマスクケースが開示されている。
【先行技術文献】
【特許文献】
【０００３】
【特許文献１】実用新案登録第３１５８３１７号公報
【特許文献２】実用新案登録第３２２２１０３号公報
【発明の概要】
【発明が解決しようとする課題】
【０００４】
ところで、マスクケースを使用する際には、マスクを簡単に衛生的に保管することが望まれている。
しかしながら、特許文献１のマスクケースでは、マスクとともに折り畳む保護シートを、抗菌剤を樹脂製シートの内部に混錬したり、抗菌剤を樹脂シートの表面に付着させたりして構成している。このため、実際の使用時では、除菌、脱臭を十分に行われているかの判断ができない。特に、使用頻度により抗菌剤の効力が減少したり、塗布した抗菌剤が剥がれたりしている場合、実際の使用時では、除菌、脱臭が十分に行われない場合がある。
また、特許文献２では、折り畳むことで抗菌性を有する保護シートとマスク本体とを内側シートで挟み込み、これを、折り畳んだ外側シートに収容する。このため、マスクに付着した汚れがマスクケースに移ることはないものの、マスクを簡単に保管しにくく、使い勝手が悪いという問題がある。
特に、病院等の医療現場や飲食店等の大勢が利用する場所で使用する場合、一時的にマスクを外して保管する場合でも、無意識で簡単に衛生的に行えることが望ましい。
【０００５】
本発明はかかる点に鑑みてなされたものであり、一時的にマスクを収容しても、簡単に衛生的に収容して除菌、脱臭を無意識に確実に行うことができるマスクケースを提供することを目的とする。
【課題を解決するための手段】
【０００６】
本発明のマスクケースは、
相互に重ね合わされ部分的に接合されることにより相互間にマスク収容部を形成する表側シート及び裏側シートを有し、
前記表側シート及び前記裏側シートのうち少なくとも一方が、光触媒紙で形成されている構成を採る。
【発明の効果】
【０００７】
本発明によれば、一時的にマスクを収容しても、簡単に衛生的に収容して除菌、脱臭を無意識に確実に行うことができる。
【図面の簡単な説明】
【０００８】
【図１】本発明の実施の形態に係るマスクケースの全体斜視図である。
【図２】本発明の実施の形態に係るマスクケースの使用状態を示す図である。
【図３】本発明の実施の形態に係るマスクケースの変形例１を示す図である。
【図４】本発明の実施の形態に係るマスクケースの変形例１の使用状態を示す図である。
【図５】本発明の実施の形態に係るマスクケースの変形例２を示す図である。
【図６】本発明の実施の形態に係るマスクケースの変形例２の使用状態を示す図である。
【図７】本発明の実施の形態に係るマスクケースの変形例３を示す図である。
【図８】本発明の実施の形態に係るマスクケースの変形例３の使用状態の一例を示す図である。
【図９】本発明の実施の形態に係るマスクケースの変形例４を示す図である。
【図１０】本発明の実施の形態に係るマスクケースの変形例５を示す図である。
【図１１】本発明の実施の形態に係るマスクケースの変形例６の背面図である。
【図１２】本発明の実施の形態に係るマスクケースの変形例７を示す図である。
【図１３】本発明の実施の形態に係るマスクケースの変形例８を示す図である。
【図１４】本発明の実施の形態に係るマスクケースの変形例８の使用状態を示す図である。
【図１５】本発明の実施の形態に係るマスクケースの変形例９を示す図である。
【図１６】本発明の実施の形態に係るマスクケースの変形例９の使用状態を示す図である。
【図１７】本発明の実施の形態に係るマスクケースの変形例１０を示す図である。
【図１８】本発明の実施の形態に係るマスクケースの変形例１１を示す図である。
【図１９】本発明の実施の形態に係るマスクケースの変形例１２を示す図である。
【図２０】本発明の実施の形態に係るマスクケースの変形例１３を示す図である。
【発明を実施するための形態】
【０００９】
以下、本発明の実施の形態について、図面を参照して詳細に説明する。
図１は、本発明の実施の形態に係るマスクケースの全体斜視図であり、図２は、本発明の実施の形態に係るマスクケースの使用状態を示す図である。
【００１０】
本実施の形態のマスクケース１は、相互に重ね合わされる表側シート２及び裏側シート３を有し、部分的に接合されることにより相互間に形成されたマスク収容部４を有する。
表側シート２及び裏側シート３は、少なくとも一方が、光触媒紙で形成されている。
【００１１】
光触媒紙とは、二酸化チタンが繊維間に定着した用紙であり、光（より具体的には紫外線）が当たると光触媒作用が生じ、紙表面（「光触媒面」ともいう）近くの空気中にある有機化合物を分解して浄化する機能を有する。分解対象の有機化合物としては、例えば、アンモニアやシックハウスの原因であるホルムアルデヒド等がある。また、光触媒紙は、光触媒面に付着した細菌等の増殖を防止する機能も有する。
【００１２】
本実施の形態では、表側シート２及び裏側シート３の両方が光触媒紙により形成されている。よって、表裏どちら側でも除菌機能、脱臭効果を発揮することができる。
【００１３】
ここで、マスクの形状としては一般に、平面タイプ、プリーツタイプ、立体タイプがある。これらのうち例えば立体タイプに関しては、不使用時に面部が二つ折りにできるように、例えば面部中央で縦に折り目、継ぎ目或いは縫い目が形成されたものがある（便宜上、このようなタイプを「二つ折りタイプ」という）。表側シート２又は裏側シート３のうち一方のみが光触媒紙製であると、二つ折りタイプのマスクを収容した場合、マスクの半面しか光触媒紙に当てることができない。これに対し、表側シート２及び裏側シート３が両方とも光触媒紙製であると、二つ折りタイプのマスクを収容した場合、マスクの全面を光触媒紙に当てることが可能となる。このように、様々なタイプのマスクを収容することを想定して、表側シート２及び裏側シート３を両方とも光触媒紙により形成することが、より好ましい。
【００１４】
また、本実施の形態では、表側シート２及び裏側シート３の両方が、一枚の光触媒紙により形成されている。これにより、１枚の光触媒紙を折り畳むことで表裏を形成することができるのでマスクケース１を製造しやすい。
【００１５】
なお、いずれか一方のシートが光触媒紙ではない場合、そのシートは、紙製でもよいし、樹脂等他の材料で形成されていてもよいが、本実施の形態では、後述する変形例を含めてすべて、表側シート２及び裏側シート３の両方が光触媒紙製である場合を例にとる。
【００１６】
また、マスクケース１では、表側シート２及び裏側シート３を相互に重ね合わせた個所を部分的に接合する部位として、のりしろ部６が設けられている。のりしろ部６は、本実施の形態では、矩形状の一枚の光触媒紙を矩形状に折り畳んだ際に、折り畳み部７と対向して平行な辺部（長辺部）に設けられている。これにより、マスクケース１は、折り畳み部７と、これと平行な対向する長辺部（のりしろ部６）とで接合され、これら辺部に挟まれる辺部が開口可能な形状をなしている。
【００１７】
表側シート２及び裏側シート３は、例えば形状が同一であること等により、外見上の区別がしにくい場合がある。そのような場合であって、仮に裏側シート３が光触媒紙製でない場合は、裏側シート３を上側に向けた状態でマスクケース１をテーブル等に載置しても、光触媒紙製の表側シート２に光が当たりにくいので除菌効果や脱臭効果を発揮しにくい。また、たとえ表側シート２及び裏側シート３が両方とも光触媒紙製であっても、何の目印もなければ、マスク収容部４内で上側に向けるべきマスク自体の除菌対象面を、誤って下側に向けた状態として、マスクケース１をテーブル等に載置してしまうおそれがある。この場合は、マスクケース１に生じる光触媒作用がマスクの除菌対象面に及ばないので除菌効果や脱臭効果を発揮しにくい。すなわち、収容したマスクを、より確実に除菌、脱臭するには、マスクケースの表裏を区別しやすくすることが望まれる。
【００１８】
そこで、本実施の形態では、表側シート２及び裏側シート３のうちの少なくとも一方、好ましくはこれらの両方には、それぞれ外面に、マーク（表示部）５が付けられている。例えば、マーク５は、マスクケース１の表（おもて）面であることを通知可能に表示するものである。表側シート２が光触媒紙製である場合、マスクケース１の表面であるということは、光触媒紙により形成された面であり、光が当たることにより、その面を構成するシート（表側シート２）に覆われる部位に対して光触媒作用を生じ、抗菌及び防臭機能を発揮する面であることを示す。すなわち、マスクケース１の表面を構成する表側シート（特定のシート）２の内側では、光触媒作用により抗菌処理、防臭処理がなされる。マーク５は、ユーザーの使用により、マーク５が表示された側の面に、マスクＭの表面或いはマスクＭの裏面（ユーザーの口が当たる面）が対向配置されることも表示できる。
【００１９】
また、表側シート２及び裏側シート３の両方が光触媒紙製である場合、マスクケース１の表面であることを表示すれば、マスクユーザーはこれを目印として、常にマスクの表面を特定の同じシート（表側シート２）の側に向けてマスクをマスク収容部４に収容させることができるので、マスクを出し入れしながらマスクケース１を繰り返し使用する場合により衛生的である。
【００２０】
マーク５は、印刷によって形成されている。マーク５の印刷面積は、表側シート２と裏側シート３とで異ならせてもよい。これにより、マスクケース１の表裏を区別することもできる。
【００２１】
また、マーク５を印刷するインクは有色であるため、一定程度、光（紫外線）を遮断する。よって、できるだけ紫外線透過率の高いインク或いは色を使用することが好ましい。表側シート２及び裏側シート３の両方が光触媒紙製である場合、例えば表側シート２の印刷面積を裏側シート３の印刷面積よりも小さくすれば、全体として表側シート２では裏側シート３よりも光（紫外線）遮断を低減させることができる。
【００２２】
また、収容するマスクの鼻や口の位置に対応する中央部を避け、マスクケース１の外周部、特にマスクケース１が長方形であれば長方形の角部の位置に、マーク５を配置すると、実質的にマーク５によって光（紫外線）が遮断されることがないので、より好ましい。
【００２３】
マーク５としては、例えば、「マスクケース」と表示することにより、マスクケース１の表面側であることと、文字の並び方向により、上下方向を通知している。このようにマーク５は、文字を横方向に並べ、並ぶ向きを基準として上下方向を表示しているが、マーク５自体を「上」、「下」の文字や「矢印」で表示して、外面の上下方向を通知可能に表示してもよい。
【００２４】
上下方向を通知することにより、マスクユーザーが、マスクケースに対してマスクの出し入れを何度も行う際に、常に、マスクの面部を天地逆転せずに、マスクを衛生的に収容させることができる。
なお、マスクケース１の表面であることを、「表側」「抗菌機能」「脱臭効果」等、ユーザーがマスクケースの表側であることを容易に認識できるように表示してもよい。
【００２５】
本実施の形態では、表側シート２及び裏側シート３の両面にマークが付けられ表示されている。これにより、表側シート２及び裏側シート３のいずれの側に向けてマスクの汚れた面を位置させてマスクを収容しても、その面をマスクケース１の表面として、光があたるように配置できる。
【００２６】
マスクケース１によれば、マスクを収容して、紫外線を含む光を当てるだけ、例えば、マスクを収容して置いておき日光が当たるだけで電源等用意せずともほぼ無意識のうちにマスクの除菌・脱臭を行うことができる。すなわち、手軽にマスクの除菌、脱臭を行うことができ、便利である。
【００２７】
また、マスクケース１にマスクを収容してテーブル等に置く場合、マスクケース１の表側シート２が上側となることが想定される。この表側シート２を、紫外線を含む光を当てるだけで除菌効果・消臭効果を発揮可能である光触媒紙で形成した場合、確実に、マスクの除菌及び脱臭を行うことができる。
【００２８】
また、マスクユーザーがマスクケースの表面を把握できるので、幾度かマスクを出し入れする場合に、除菌対象となるマスクの表面を常に表側シートに向けた状態でマスクを収容させることができ、より衛生的にマスクの除菌、脱臭を行うことができる。加えて、マスクケース１をテーブル等に置く際に、常にマスクの表面を常に上側に向けさせることができるので、より確実に、収容するマスクの除菌、脱臭を行うことができる。
【００２９】
また、表側シート２及び裏側シート３がそれぞれ、紙製である場合は、ポリプロピレン等の樹脂に形成されるケースと比較して通気性に優れ、効果的に抗菌、脱臭、防臭を行うことができる。
【００３０】
（変形例１）
図３は、本発明の実施の形態に係るマスクケースの変形例１を示す図であり、図３Ａは、マスクケースの変形例１の平面図であり、図３Ｂは、同マスクケースの展開図である。また、図４は、同マスクケースの変形例１の使用状態を示す図である。
【００３１】
図３及び図４に示すマスクケース１Ａは、相互に重ね合わされる表側シート２Ａ及び裏側シート３Ａを有し、これら表側シート２Ａ及び裏側シート３Ａの両方が、光触媒紙により形成されている。よって、表裏どちら側もマスクケース１Ａの表面、つまりマスクに接触して除菌効果や脱臭効果を発揮する面として機能し、除菌機能、脱臭効果を発揮できる。
【００３２】
マスクケース１Ａは、一枚の光触媒紙の折り畳み部７Ａと直交して隣り合う一辺部を、のりしろ部６Ａとして接合することにより表側シート２Ａ及び裏側シート３Ａの相互間に形成されたマスク収容部４Ａを有する。マスク収容部４Ａでは、折り畳み部７Ａ及びこれに隣り合う一辺部以外の他の２辺部は、相互に接合されておらず、他の２辺部からマスクを収容可能となっている（図４参照）。
【００３３】
マスクケース１Ａでは、マスクケース１と同様に、表側シート２Ａ及び裏側シート３Ａの両方が一枚の光触媒紙により形成されている。これにより、１枚の光触媒紙を折り畳むことで表裏を形成することができるので、マスクケース１Ａを製造しやすい。
【００３４】
また、表側シート２Ａ及び裏側シート３Ａには、それぞれの外面に、表側シート２Ａ及び裏側シート３Ａを区別可能に表示するマーク５が設けられている。これにより、前述した実施の形態のマーク５を有する場合と同様の効果を得ることができる。マーク５としては、例えば、「マスクケース」と表示しているが、これに限らず、「表側」「抗菌機能」「脱臭効果」等、ユーザーがマスクケース１Ａの表側であること或いは裏側であることを容易に区別して認識できるように、表示される。マーク５は、外面に印刷されていてもよい。表側シート２Ａ及び裏側シート３Ａの両方が光触媒紙製であるので、例えば表側シート２Ａの印刷面積（図３のマーク５参照）を裏側シート３Ａの印刷面積（図３のマーク５ａ参照）よりも小さくすれば、全体として表側シート２Ａでは裏側シート３Ａよりも光（紫外線）遮断を低減させることができる。このような効果を含むマスクケース１Ａや他の変形例におけるマーク５は、マスクケース１Ａにおけるマーク５と同様の作用効果を有する。また、マークは、外面の上下方向を通知可能に表示されていてもよい。マーク自体を「上」、「下」の文字や「矢印」で表示して、上下方向を通知可能に表示してもよい。
【００３５】
マスクケース１Ａによれば、マスクを収容して、紫外線を含む光を当てるだけ、例えば、マスクを収容して置いておき日光が当たるだけで電源等用意せずともほぼ無意識のうちにマスクの除菌・脱臭を行うことができる。すなわち、手軽にマスクの除菌、脱臭を行うことができ、便利である。
【００３６】
また、マスクケース１Ａにマスクを収容してテーブル等に置く場合、マスクケース１Ａの表側シート２Ａが上側となることが想定される。この表側シート２Ａを、紫外線を含む光を当てるだけで除菌効果・消臭効果を発揮可能である光触媒紙で形成しているので、確実に、マスクの除菌及び脱臭を行うことができる。
【００３７】
また、マスクユーザーが、光触媒紙で構成したマスクケースの表側シート２Ａ及び裏側シート３Ａの両方を把握できるので、幾度かマスクを出し入れする場合に、除菌対象となるマスクの表面を常に光触媒紙側に向けた状態でマスクを収容させることができ、より衛生的にマスクの除菌、脱臭を行うことができる。加えて、マスクケース１Ａをテーブル等におく際に、常にマスクの表面を常に上側に向けさせることができるので、より確実に、収容するマスクの除菌、脱臭を行うことができる。
変形例１のマスクケース１Ａでは、矩形状体に重ね合わせた表側シート２Ａ及び裏側シート３Ａの４辺部のうちの２辺部が折り目も含めて接合された構成としたが、３辺部を接合した構成としてもよい。
【００３８】
（変形例２）
図５は、本発明の実施の形態に係るマスクケースの変形例２を示す図であり、図５Ａは、変形例２のマスクケースの正面斜視図であり、図５Ｂは、同マスクケースの展開図である。また、図６は、変形例２のマスクケースの使用状態を示す図である。
【００３９】
変形例２のマスクケース１Ｂは、表側シート２Ｂ及び裏側シート３Ｂを相互に重ね合わせてなるマスク収容部４Ｂを有する。表側シート２Ｂ及び裏側シート３Ｂは、紙製であり、マスクケース１Ｂでは、表側シート２Ｂ及び裏側シート３Ｂのうち両方が、一枚の光触媒紙で形成されている。表側シート２Ｂ及び裏側シート３Ｂは、折り畳み部７Ｂと、折り畳み部７Ｂと隣り合う２辺部（のりしろ部６Ｂ）とが接合されている。これら３辺部を接合して、表側シート２Ｂ及び裏側シート３Ｂの相互間に、マスク収容部４Ｂが形成されている。マスク収容部４Ｂは、開口辺部のみで開口し、この開口辺部を介してマスクを収容自在となっている。
【００４０】
マスクケース１Ｂでは、マスクケース１と同様に、表側シート２Ｂ及び裏側シート３Ｂの両方が一枚の光触媒紙により形成されており、１枚の光触媒紙を折り畳むことで、表側シート２Ｂ及び裏側シート３Ｂのどちら側もマスクケース１Ｂの表面として機能する。
これにより、表側シート２Ｂ及び裏側シート３Ｂのどちら側でも除菌機能、脱臭効果を発揮する。
【００４１】
（変形例３）
図７は、本発明の実施の形態に係るマスクケースの変形例３を示す図であり、図７Ａは、変形例３のマスクケースの内面側を示す図、図７Ｂは同マスクケースの外面側を示す図である。また、図８は、本発明の実施の形態に係るマスクケースの変形例３の使用状態の一例を示す図である。
【００４２】
変形例３であるマスクケース１Ｃは、相互に重ね合わされる、一部円弧状の角部を有する表側シート２Ｃ-１、２Ｃ−２と、裏側シート３Ｃ−１、３Ｃ−２とを有する。裏側シート３Ｃ−１、３Ｃ−２は一枚の連続するシートである。マスクケース１Ｃは、裏側シート３Ｃ−１、３Ｃ−２に、これらに重なる表側シート２Ｃ-１、２Ｃ−２のそれぞれのＬ字状に直交する２辺部を接合部として機能するのりしろ部６Ｃ−１、６Ｃ−２として接合している。これにより、マスクケース１Ｃでは、裏側シート３Ｃ−１、３Ｃ−２と表側シート２Ｃ-１、２Ｃ−２の相互間にそれぞれポケット状のマスク収容部４Ｃ−１、４Ｃ−２が設けられている。なお、のりしろ部６Ｃ−１、６Ｃ−２は一方を、表側シート２Ｃ-１と裏側シート３Ｃ−１、或いは表側シート２Ｃ−２と裏側シート３Ｃ−２とを連続して構成した際の折り畳み部で構成してもよい。
【００４３】
マスクケース１Ｃにおいて、表側シート２Ｃ-１、２Ｃ−２及び裏側シート３Ｃ-１、３Ｃ−２を有するシートは、それぞれ紙製であり、表側シート２Ｃ-１、２Ｃ−２及び裏側シート３Ｃ-１、３Ｃ−２のうちの少なくとも一方側が、光触媒紙で形成されている。
【００４４】
変形例３のマスクケース１Ｃでは、表側シート２Ｃ-１、２Ｃ−２をそれぞれ光触媒紙で形成し、こちら側の面をマスクケース１Ｃの表面側、つまり、光触媒作用が生じる面側としているが、裏側シート３Ｃ-１、３Ｃ−２を光触媒紙で構成してもよい。この場合、裏側シート３Ｃ-１、３Ｃ−２がマスクケース１Ｃの表面側、つまり光触媒作用が生じる面側となる。この構成では、例えば、図８に示すように、マスクケース１Ｃの表面側となる裏側シート３Ｃ-１、３Ｃ−２のうちの一方側に、マスクの汚れた面を対向して収容し、マスクケース１Ｃにおいて中央部の折り目部７Ｃを谷折りにして畳む。そして、机上等に上側にして載置するだけで、一時的にマスクを収容しても、簡単に衛生的に収容して除菌、脱臭を無意識に確実に行うことができる。
【００４５】
なお、表側シート２Ｃ-１、２Ｃ−２及び裏側シート３Ｃ-１、３Ｃ−２のうちの少なくとも一方の外面に、マスクケース１と同様に、マスクケース１Ｃの表面であったり、或いは裏面であったりすることを通知可能に表示するマーク５（図１参照）を設けてもよい。マスクケース１においてマーク５を有する場合と同様の作用効果を得ることができる。
【００４６】
また、変形例３のマスクケース１Ｃでは、一枚のシートからなる裏側シート３Ｃ-１、３Ｃ−２のそれぞれに、表側シート２Ｃ-１、２Ｃ−２を直交する２辺部を接合部として接合した構成としたが、これに限らない。例えば、変形例４或いは変形例５で示すマスクケース１Ｄ、１Ｅのように、一枚のシートからなる裏側シート３Ｃ-１、３Ｃ−２の一方にのみ表側シート２Ｃを重ね合わせて接合してなるポケットを有するようにしてもよい。
【００４７】
（変形例４、変形例５）
図９は、本発明の実施の形態に係るマスクケースの変形例４を示す図であり、図９Ａは、変形例４のマスクケースの内面側を示す図であり、図９Ｂは、同マスクケースの外面側を示す図である。図１０は、本発明の実施の形態に係るマスクケースの変形例５を示す図であり、図１０Ａは、変形例５のマスクケースの内面側を示す図であり、図１０Ｂは、同マスクケースの外面側を示す図である。
【００４８】
図９に示す変形例５としてのマスクケース１Ｄは、一枚のシートからなり連続する裏側シート３Ｄ-１、３Ｄ−２のうち一方の裏側シート３Ｄ-１に、表側シート２Ｄを、直交する２辺部で接合して形成されたポケット状のマスク収容部４Ｄを有する。マスク収容部４Ｄは、裏側シート３Ｄ-２側で、円弧上の角部で接続される２辺部で開口するように形成されている。また、裏側シート３Ｄ-１、３Ｄ−２は、一枚の光触媒紙で形成し、マスクケース１Ｄの表側を構成している。
【００４９】
これにより、マスクケース１Ｄは、マスク収容部４Ｄ内に、マスクを収容する際に、裏側シート３Ｄ−１側に汚れた面を向けて、マスク収容部４Ｄに収容して、裏側シート３Ｄ−２を折り畳み部７Ｄで折り表側シート２Ｄ上に重ねる。そして、マスクケース１Ｄの表面となる裏側シート３Ｄ-１を上にして机上等に置くだけで、マスクの抗菌、脱臭を容易に行うことができる。
【００５０】
図１０に示す変形例６としてのマスクケース１Ｅは、一枚のシートからなり連続する裏側シート３Ｅ-１、３Ｅ−２のうち一方の裏側シート３Ｅ-２に、表側シート２Ｅを、直交する２辺部で接合して形成されたポケット状のマスク収容部４Ｅを有する。マスク収容部４Ｅは、裏側シート３Ｅ-１側の円弧上の角部で接続される２辺部で開口するように形成されている。また、裏側シート３Ｅ-１、３Ｅ−２は、一枚の光触媒紙で形成し、マスクケース１Ｅの表側を構成している。
【００５１】
これにより、マスクケース１Ｅは、マスク収容部４Ｅ内に、マスクを収容する際に、裏側シート３Ｅ−２側に汚れた面を向けて、マスク収容部４Ｅに収容して、裏側シート３Ｅ−１を折り畳み部７Ｅで折り表側シート２Ｅ上に重ねる。そして、マスクケース１Ｅの表面として機能する裏側シート３Ｅ-２を上にして机上等に置くだけで、マスクの抗菌、脱臭を容易に行うことができる。
【００５２】
なお、裏側シート３Ｅ−１、３Ｅ−２に加えて、表側シート２Ｄ、２Ｅを、光触媒紙で形成してもよいことは勿論である。この場合、折り畳み部７Ｄ、７Ｅで折り畳む場合と折り畳まない場合とに関わらず、表側シート２Ｄ、２Ｅ、裏側シート３Ｄ−１、３Ｄ−２、３Ｅ−１、３Ｅ−２について、机上等に置く向きを気にすることなく、マスクの除菌、脱臭を確実に行うことができる。
【００５３】
（変形例６、７）
図１１は、本発明の実施の形態に係るマスクケースの変形例６を示す図であり、図１１Ａは、マスクケースの正面図、図１１Ｂは、マスクケースの背面図であり、図１１Ｃは、マスクケースの展開図である。また、図１２は、本発明の実施の形態に係るマスクケースの変形例７を示す図であり、図１２Ａは、マスクケースの正面図、図１２Ｂは、マスクケースの背面図であり、図１２Ｃは、マスクケースの展開図である。
【００５４】
図１１及び図１２に示すマスクケース１Ｆ、１Ｇは、それぞれ、相互に重ね合わされる表側シート２Ｆ、２Ｇ及び裏側シート３Ｆ、３Ｇを有する。
表側シート２Ｆと裏側シート３Ｆ或いは表側シート２Ｇと裏側シート３Ｇは、それぞれ一枚の光触媒紙で形成され、それぞれを折り畳み部７Ｆ、７Ｇで折り畳むことにより、ポケット状のマスク収容部４Ｆ、４Ｇが形成されている。
【００５５】
マスクケース１Ｆ、１Ｇでは、折り畳み部７Ｆ、７Ｇと隣り合う辺部にのりしろ部６Ｆ、６Ｇが設けられ、のりしろ部６Ｆ、６Ｇと折り畳み部７Ｆ、７Ｇとで接合されている。これにより、円弧状の角部を有するマスク収容部４Ｆ、４Ｇが、表側シート２Ｆ、２Ｇ及び裏側シート３Ｆ、３Ｇの相互間に形成されている。
【００５６】
マスクケース１Ｆ、１Ｇでは、マスク収容部４Ｆ、４Ｇの開口する方向が異なる。また、マスクケース１Ｆ、１Ｇでは、表側シート２Ｆ、２Ｇの外面にそれぞれ、マスクケース１Ｆ、１Ｇの表面を表示する表示部としての「オモテ」が表示されている。加えて、裏側シート３Ｆ、３Ｇの外面にそれぞれ、マスクケース１Ｆ、１Ｇの裏面を表示するマーク（
表示部）５０として「ウラ」が表示されている。
【００５７】
これにより、マスクユーザーがマスクケース１Ｆ、１Ｇの裏面を把握できるので、幾度かマスクを出し入れする場合に、除菌対象となるマスクの表面を常に、光触媒効果を発揮するシート、ここでは、表側シート２Ｆ、２Ｇに向けた状態でマスクを収容させることができる。よって、より衛生的、かつ、テーブル等におくときにマスクの表面を常に上側に向けさせることがでるので、より確実に、マスクの除菌・脱臭が可能となる。
【００５８】
（変形例８）
図１３は、本発明の実施の形態に係るマスクケースの変形例８を示す図であり、図１３Ａは、マスクケースの正面図、図１３Ｂは、マスクケースの展開図である。図１４は、本発明の実施の形態に係るマスクケースの変形例８の使用状態を示す図である。
【００５９】
変形例８のマスクケース１Ｈは、相互に重ね合わされる表側シート２Ｈ及び裏側シート３Ｈを有し、部分的に接合されることにより相互間に形成されたマスク収容部４Ｈと、孔部８と、を有する。表側シート２Ｈ及び裏側シート３Ｈは、それぞれ紙製であり、表側シート２Ｈは、内側面が光触媒面である光触媒紙で形成されており、特定のシートとして機能する。変形例８では、表側シート２Ｈ及び裏側シート３Ｈは連続する一枚の光触媒紙により構成されており、マスクケース１Ｈは、折り畳み部７Ｈで折り畳まれて矩形状に形成されている。
【００６０】
マスクケース１Ｈでは、表側シート２Ｈ及び裏側シート３Ｈを相互に重ね合わせた個所を部分的に接合する部位として孔部８を挟む位置に、のりしろ部６Ｈ（６Ｈ−１、６Ｈ−２）が設けられている。
【００６１】
孔部８は、表側シート２Ｈ及び裏側シート３Ｈとの接合部に設けられ、この孔部８は、図１４に示すように、マスク収容部４Ｈに収容されたマスクＭの耳掛け部Ｍ１を外部へ出すことができる。
【００６２】
のりしろ部６Ｈは、折り畳み部７Ｈによる辺部に直交して隣り合う短辺部分に設けられている。これにより、マスクケース１Ｈでは、表側シート２Ｈ及び裏側シート３Ｈが、折り畳み部７Ｈからなる長辺部と、のりしろ部６Ｈを有する短辺部とで接合される。これら辺部と対向する短辺部及び長辺部でマスク収容部４Ｈは、開口可能である。すなわち、表側シート２Ｈと裏側シート３Ｈにおいて、外周部の一部として、折り畳み部７Ｈからなる長辺部と、のりしろ部６Ｈを有する短辺部とが接合部となっている。マスクケース１Ｈでは、折り畳み部７Ｈからなる長辺部と、のりしろ部６Ｈを有する短辺部との接合部に対向する短辺部及び長辺部からなる対向部が、接合部となっていない。この部分から、マスクＭが出し入れ可能となっている。
【００６３】
表側シート２Ｈには、外面に、上述のマーク５（表示部）が付けられている。マーク５は、マスクケース１Ｈの表面であることを通知可能に表示するものである。マーク５については、マスクケース１におけるマーク５と同様の機能、効果を有するため説明は省略する。
【００６４】
マスクケース１Ｈによれば、マスクＭを収容して、紫外線を含む光を当てるだけ、例えば、マスクＭを収容して置いておき日光が当たるだけで電源等用意せずともほぼ無意識のうちにマスクの除菌（抗菌）・脱臭を行うことができる。すなわち、手軽にマスクＭの除菌、脱臭を行うことができ、便利である。
【００６５】
また、マスクケース１ＨにマスクＭを収容してテーブル等に置く場合、上側となることが想定されるマスクケース１Ｈの表側シート２Ｈを、紫外線を含む光を当てるだけで除菌効果・消臭効果を発揮可能である光触媒紙で形成している。これにより、確実に、マスクの除菌及び脱臭を行うことができる。
【００６６】
また、マスクユーザーがマスクケース１Ｈの表面を把握できるので、幾度かマスクを出し入れする場合に、除菌対象となるマスクＭの表面を常に表側シート２Ｈに向けた状態でマスクＭを収容させることができる。これにより、衛生的にマスクの除菌、脱臭を行うことができる。加えて、マスクケース１をテーブル等におく際に、常にマスクＭの表面を常に上側に向けさせることができるので、より確実に、収容するマスクの除菌、脱臭を行うことができる。表側シート２Ｈ側に向けてマスクの汚れた面を位置させてマスクを収容しても、その面をマスクケース１Ｈの表面として、光があたるように配置できる。
【００６７】
また、マスクケース１Ｈは、孔部８を有するので、除菌対象ではなく、取っ手としての機能も兼ねるマスクＭの耳掛け部Ｍ１を、マスク収容部４Ｈに入れずに済む。よって、耳掛け部Ｍ１に付着した雑菌等をマスク収容部４Ｈに付着させずに済み、かつマスクＭの出し入れ等の取扱が容易になる。
【００６８】
また、表側シート２Ｈ及び裏側シート３Ｈは連続する一枚の光触媒紙により構成されていれば、マスクケース１Ｈは、表側シート２Ｈ及び裏側シート３Ｈの双方の内側で光触媒作用（除菌（抗菌）及び脱臭作用）を発揮できる。
すなわち、マスクケース１Ｈによれば、マスクケース１Ｈ内に収容されたマスクＭの耳掛け部Ｍ１を、孔部８から外部に出して、係止部材に係止することにより、マスクケース１Ｈを、マスクＭを収容した状態で吊るすことができる。これにより、耳掛け部Ｍ１を日の当たる場所等に設けられたフック等の係止部材に係止して、マスクＭをマスクケース１Ｈごと吊して、マスクケース１Ｈの両面に日を当てることができる。よって、耳掛け部Ｍ１を吊るすだけで、マスクＭの表面と裏面（ユーザ―の口が当たる面）の両面に対して、光触媒作用、つまり、除菌（抗菌）及び脱臭作用を発揮できる。
【００６９】
（変形例９）
図１５は、本発明の実施の形態に係るマスクケースの変形例９を示す図であり、図１５Ａは、マスクケースの正面図、図１５Ｂは、マスクケースの展開図である。図１６は、本発明の実施の形態に係るマスクケースの変形例９の使用状態を示す図である。
【００７０】
変形例９のマスクケース１Ｊは、相互に重ね合わされる表側シート２Ｊ及び裏側シート３Ｊと、これらの相互間に形成されたマスク収容部４Ｊと、孔部８Ｊと、を有する。
【００７１】
表側シート２Ｊ及び裏側シート３Ｊは、それぞれ紙製であり、表側シート２Ｊ及び裏側シート３Ｊの両方が、内側面が光触媒面である一枚の光触媒紙で構成されている。マスクケース１Ｊは、光触媒紙の光触媒面を向かい合わせにして内側で対向するように、短辺部を構成する折り畳み部７Ｊで折り畳まれて、矩形状に形成されている。
【００７２】
マスクケース１Ｊでは、表側シート２Ｊ及び裏側シート３Ｊを相互に重ね合わせた個所を部分的に接合する部位として、折り畳み部７Ｊと直交するように隣り合う一長辺部に、のりしろ部６Ｊが設けられている。
【００７３】
孔部８Ｊは、表側シート２Ｊ及び裏側シート３Ｊとの接合部として機能する折り畳み部７Ｊに設けられている。この孔部８Ｊは、図１４に示す孔部８と同様に、マスク収容部４Ｊに収容されたマスクＭの耳掛け部Ｍ１を外部へ出すことができる（図１６参照）。
【００７４】
のりしろ部６Ｊは、折り畳み部７Ｊによる辺部に直交して隣り合う長辺部に設けられている。これにより、マスクケース１Ｊでは、表側シート２Ｊ及び裏側シート３Ｊが、折り畳み部７Ｊからなる短辺部と、のりしろ部６Ｊを有する長辺部とで接合される。これら辺部と対向する他方の辺部（短辺部及び長辺部）でマスク収容部４Ｊは、開口可能であり、マスクＭを出し入れ可能に形成されている。
【００７５】
表側シート２Ｊ及び裏側シート３Ｊには、それぞれ外面に、マーク５（表示部）が付けられている。これにより、マスクケース１Ｊでは、表側シート２Ｊ及び裏側シート３Ｊのどちらの面側でも、光が当たることにより、そのシートに覆われるマスクの部位（シート内側の部分）、つまり、光触媒面に対向する部位に対して光触媒作用が生じることを表示している。これにより、収容するマスクに対して抗菌及び防臭機能を発揮する。
【００７６】
マスクケース１Ｊは、マスクケース１Ｊ内に収容されたマスクＭの耳掛け部Ｍ１を、孔部８Ｊから外部に出して、係止部材に係止することにより、マスクケース１Ｈを、マスクＭを収容した状態で吊るすことができる。これより、日の当たる場所等に設けられたフック等の係止部材に、孔部８Ｊから導出される耳掛け部Ｍ１を係止して、マスクＭをマスクケース１Ｈごと吊るすことができる。これにより、マスクケース１Ｊの両面に日を当てて、収容するマスクＭの表面と裏面（ユーザ―の口が当たる面）の両面に対して、光触媒作用、つまり、除菌（抗菌）及び脱臭作用を発揮できる。
【００７７】
また、マスクケース１ＪにマスクＭを収容してテーブル等に置く場合、マスクケース１Ｊの表側シート２Ｊ或いは裏側シート３Ｊのどちらを、上側にしても、確実に、マスクの除菌及び脱臭を行うことができる。
【００７８】
また、マスクユーザーがマスクケース１Ｊの表面を把握できるので、幾度かマスクを出し入れする場合に、除菌対象となるマスクＭの表面を常に表側シート２Ｊ或いは裏側シート３Ｊに向けた状態でマスクＭを収容させることができる。これにより、衛生的にマスクの除菌、脱臭を行うことができる。加えて、マスクケース１Ｊをテーブル等におく際に、常にマスクＭの表面を常に上側に向けさせることができるので、より確実に、収容するマスクの除菌、脱臭を行うことができる。表側シート２Ｊ側に向けてマスクの汚れた面を位置させてマスクを収容しても、その面をマスクケース１Ｊの表面として、光があたるように配置できる。
【００７９】
また、マスクケース１Ｊは、孔部８Ｊを有するので、マスクケース１Ｈの孔部８と同様の作用効果をうることができる。
【００８０】
（変形例１０〜変形例１４）
図１７は、本発明の実施の形態に係るマスクケースの変形例１０を示す図であり、図１７Ａは、変形例１０のマスクケースの正面図、図１７Ｂは、変形例１０のマスクケースの背面図、図１７Ｃは、マスクケースの展開図である。
【００８１】
図１８は、本発明の実施の形態に係るマスクケースの変形例１１を示す図であり、図１８Ａは、変形例１１のマスクケースの正面図、図１８Ｂは、変形例１１のマスクケースの背面図、図１８Ｃは、マスクケースの展開図である。
図１９は、本発明の実施の形態に係るマスクケースの変形例１２を示す図であり、図１９Ａは、変形例１２のマスクケースの正面図、図１９Ｂは、変形例１２のマスクケースの背面図、図１９Ｃは、マスクケースの展開図である。
【００８２】
図２０は、本発明の実施の形態に係るマスクケースの変形例１３を示す図であり、図２０Ａは、変形例１３のマスクケースの正面図、図２０Ｂは、変形例１３のマスクケースの背面図、図２０Ｃは、マスクケースの展開図である。
【００８３】
図１７〜図２０に示す変形例１０〜１３のマスクケース１Ｋ〜１Ｎは、いずれも表側シート２Ｋ〜２Ｎ及び裏側シート３Ｋ〜３Ｎを有し、これらを相互に重ね合わせて部分的に接合されることにより形成されたマスク収容部４Ｋ〜４Ｎを有する。
【００８４】
表側シート２Ｋ〜２Ｎが、光触媒紙で形成されており、外面にそれぞれ、マスクケース１Ｋ〜１Ｎの表面であることを通知するマーク５（表示部）を有する。ここではマーク５として、「マスクケース」の表示により、光触媒効果を発揮する面を示している。また、マスクケース１Ｋ〜１Ｎでは、それぞれ、外面がマスクケース１Ｋ〜１Ｎの裏面であり、光触媒作用を発揮しない面であることを示すマーク（表示部）５０が設けられている。
【００８５】
マーク５０は、ここでは、「ウラ」で表示されているが表示形態は、これに限らない。このマーク５０により、マスクユーザーがマスクケース１Ｋ〜１Ｌの裏面を把握できるので、幾度かマスクを出し入れする場合に、除菌対象となるマスクの表面を常に表側シート２Ｋ〜２Ｎに向けた状態でマスクを収容させることができる。これにより、より衛生的、かつ、テーブル等におくときにマスクの表面を常に上側に向けさせることができ、より確実に、収容したマスクの除菌・脱臭をおこなうことができる。これらマーク５、５０は、それぞれ印刷により形成されてなるため、紙である表側シート２Ｋ〜２Ｎ、裏側シート３Ｋ〜３Ｎに形成しやすい。
【００８６】
加えて、図１９に示すマスクケース１Ｍと、図２０に示すマスクケース１Ｎでは、表側シート２Ｍ、２Ｎと裏側シート３Ｍ、３Ｎにおいて、折り畳み部７Ｍ、７Ｎとこれに隣り合う２辺部に設けられたのりしろ部６Ｍ、６Ｎとにより接合された状態となっている。これらにより、表側シート２Ｍ、２Ｎと裏側シート３Ｍ、３Ｎにおいて、折り畳み部７Ｍ、７Ｎに対向する対向部としてＶ型の切り欠き部９Ｍ、９Ｎが、裏側シート３Ｍ、３Ｎに接合、つまり、表側シート２Ｍ、２Ｎと裏側シート３Ｍ、３Ｎの接合部となっていない。
これにより、マスクケース１Ｍ、１Ｎは、マスク収容部４Ｍ、４Ｎへのマスクの出し入れがしやすく、かつ、収容時にマスクの耳掛け部を両方ともマスク収容部に入れずに済む。
【００８７】
なお、マスクケース１、１Ａ、１Ｂ、１Ｄ〜１Ｎでは、マーク５は、マスクの表面を表側シートに向けた状態でマスクをマスク収容部４に収容することを通知可能に表示されてもよい。これにより、マスクユーザーが、幾度かマスクを出し入れする場合に常に、除菌対象となるマスクの表面を常に表側シート２、２Ａ、２Ｂ、２Ｄ〜２Ｎに向けた状態でマスクを収容するよう、マスクユーザーに意識させることができる。これにより、より衛生的、かつ、テーブル等におくときにマスクの表面を常に上側に向けさせることができるので、より確実に、マスクの除菌・脱臭を行うことができる。
【００８８】
また、マーク５を表側シート２、２Ａ〜２Ｎの外面に設けて、マスクケース１、１Ａ〜１Ｎが横長の長方形形状であることを通知可能に表示してもよい。これにより、マスクユーザーが、マスクケース１、１Ａ〜１Ｎがマスクの面部同様の横長形状であることを把握できる。よって、幾度かマスクを出し入れする場合に常に、マスクの面部の上下方向の向きとマスクケース１、１Ａ〜１Ｎの上下方向の向きとを合わせて、より、衛生的に、マスクを収容させることができる。ちなみに、例えば図３に示すように、マスクケース１を横長に配置したときに表示部５の文字列の向きが正常となるように表示部５を形成することにより、マスクユーザーは、マスクケース１が横長であることを認識することができる。
【００８９】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【００９０】
本発明に係るマスクケースは、使用中のマスクを衛生的に収容するマスクケースとして有用である。
【符号の説明】
【００９１】
１、１Ａ、１Ｂ、１Ｃ、１Ｄ、１Ｅ、１Ｆ、１Ｇ、１Ｈ、１Ｉ、１Ｊ、１Ｋ、１Ｌ、１Ｍ、１Ｎ  マスクケース
２、２Ａ、２Ｂ、２Ｃ、２Ｄ、２Ｅ、２Ｆ、２Ｇ、２Ｈ、２Ｉ、２Ｊ、２Ｋ、２Ｌ、２Ｍ、２Ｎ  表側シート
３、３Ａ、３Ｂ、３Ｃ、３Ｄ、３Ｅ、３Ｆ、３Ｇ、３Ｈ、３Ｉ、３Ｊ、３Ｋ、３Ｌ、３Ｍ、３Ｎ  裏側シート
４、４Ａ、４Ｂ、４Ｃ、４Ｄ、４Ｅ、４Ｆ、４Ｇ、４Ｈ、４Ｉ、４Ｊ、４Ｋ、４Ｌ、４Ｍ、４Ｎ  マスク収容部
５、５０  マーク（表示部）
５  マーク
６、６Ａ、６Ｂ、６Ｃ、６Ｄ、６Ｅ、６Ｆ、６Ｇ、６Ｈ、６Ｉ、６Ｊ、６Ｋ、６Ｌ、６Ｍ、６Ｎ  のりしろ部
７、７Ａ、７Ｂ、７Ｃ、７Ｄ、７Ｅ、７Ｆ、７Ｇ、７Ｈ、７Ｉ、７Ｊ、７Ｋ、７Ｌ、７Ｍ、７Ｎ  畳み部
８、８J  孔部
８Ｂ  開口辺部
９Ｍ、９N  切り欠き部
Ｍ  マスク
Ｍ１  耳掛け部
【図１】
2022001103.tif 000003
【図２】
2022001103.tif 000004
【図３】
2022001103.tif 000005
【図４】
2022001103.tif 000006
【図５】
2022001103.tif 000007
【図６】
2022001103.tif 000008
【図７】
2022001103.tif 000009
【図８】
2022001103.tif 000010
【図９】
2022001103.tif 000011
【図１０】
2022001103.tif 000012
【図１１】
2022001103.tif 000013
【図１２】
2022001103.tif 000014
【図１３】
2022001103.tif 000015
【図１４】
2022001103.tif 000016
【図１５】
2022001103.tif 000017
【図１６】
2022001103.tif 000018
【図１７】
2022001103.tif 000019
【図１８】
2022001103.tif 000020
【図１９】
2022001103.tif 000021
【図２０】
2022001103.tif 000022